(57)【特許請求の範囲】
【請求項１】
コントローラに表示されたコントロールパネルが操作されることによって制御される電子機器であって、
前記コントロールパネルを格納するメモリと、
前記コントロールパネルのデザインを変更する変更手段と、
前記コントロールパネルに表示されるアイコンと同じアイコンを表示する表示手段と
を有することを特徴とする電子機器。
【請求項２】
前記変更手段は、前記コントロールパネルの背景の色を変更することを特徴とする請求項１に記載の電子機器。
【請求項３】
前記変更手段は、前記コントロールパネルに表示される文字列を変更することを特徴とする請求項１または２に記載の電子機器。
【請求項４】
前記変更手段は、前記コントロールパネルに表示されるアイコンを変更することを特徴とする請求項１から３のいずれか１項に記載の電子機器。
【請求項５】
前記変更手段は、前記コントローラに表示された前記コントロールパネルが選択された場合に前記コントローラから出力されるサウンドを変更することを特徴とする請求項１から４のいずれか１項に記載の電子機器。
【請求項６】
前記コントロールパネルの背景の色と同じ色の光を発光する発光手段をさらに有することを特徴とする請求項１から５のいずれか１項に記載の電子機器。
【請求項７】
前記コントロールパネルに表示される文字列と同じ文字列を表示する表示手段をさらに有することを特徴とする請求項１から６のいずれか１項に記載の電子機器。
【請求項８】
前記コントローラに表示された前記コントロールパネルが選択された場合に前記コントローラから出力されるサウンドと同じサウンドを出力するサウンド出力手段をさらに有することを特徴とする請求項１から７のいずれか１項に記載の電子機器。
【請求項９】
前記コントロールパネルを前記コントローラに送信する送信手段をさらに有することを特徴とする請求項１から８のいずれか１項に記載の電子機器。
【請求項１０】
コントローラに表示されたコントロールパネルが操作されることによって制御される電子機器であって、
前記コントロールパネルを格納するメモリと、
前記コントロールパネルのデザインを変更する変更手段と、
前記コントローラに表示された前記コントロールパネルが選択された場合に前記コントローラから出力されるサウンドと同じサウンドを出力するサウンド出力手段と
を有することを特徴とする電子機器。
【請求項１１】
前記変更手段は、前記コントロールパネルの背景の色を変更することを特徴とする請求項１０に記載の電子機器。
【請求項１２】
前記変更手段は、前記コントロールパネルに表示される文字列を変更することを特徴とする請求項１０または１１に記載の電子機器。
【請求項１３】
前記変更手段は、前記コントロールパネルに表示されるアイコンを変更することを特徴とする請求項１０から１２のいずれか１項に記載の電子機器。
【請求項１４】
前記変更手段は、前記コントローラに表示された前記コントロールパネルが選択された場合に前記コントローラから出力されるサウンドを変更することを特徴とする請求項１０から１３のいずれか１項に記載の電子機器。
【請求項１５】
前記コントロールパネルの背景の色と同じ色の光を発光する発光手段をさらに有することを特徴とする請求項１０から１４のいずれか１項に記載の電子機器。
【請求項１６】
前記コントロールパネルに表示される文字列と同じ文字列を表示する表示手段をさらに有することを特徴とする請求項１０から１５のいずれか１項に記載の電子機器。
【請求項１７】
前記コントロールパネルを前記コントローラに送信する送信手段をさらに有することを特徴とする請求項１０から１６のいずれか１項に記載の電子機器。
【発明の詳細な説明】
【０００１】
【発明の属する技術分野】
本発明は、ターゲット（被制御装置）として機能する電子機器に関する。
【０００２】
【従来の技術】
ネットワークシステム上の複数の電子機器をリモートコントロールするリモートコントロールシステムには、様々な方式が提案されている。ＩＥＥＥ１３９４−１９９５規格に準拠したネットワークシステムでは、コントローラ（制御装置）に表示されたコントロールパネルを操作するだけで、そのコントロールパネルに対応するターゲット（被制御装置）の様々な機能をリモートコントロールすることができる方式が提案されている。
【０００３】
【発明が解決しようとする課題】
しかしながら、この方式には以下のような問題があった。
【０００４】
通常、複数のターゲットのメーカ、機種及びバージョンが同じである場合、それらのコントロールパネルは全く同じデザインとなる。そのため、このようなターゲットのコントロールパネルをコントローラに表示した場合、ユーザはよく注意していないとコントロールパネルとターゲットとの対応関係を認識できなくなるという問題があった。また、コントロールパネルとターゲットとの対応関係を常に記憶しておかないと、所望のターゲットとは別のターゲットのコントロールパネルを誤って操作してしまうという問題もあった。更に、コントロールパネルとターゲットとの対応関係を確かめるためには、各コントロールパネルを操作して実際に動作するターゲットを特定しなければならないという問題もあった。
【０００５】
本発明は、上述の問題に鑑みてなされたものであり、複数のターゲット（被制御装置）のコントロールパネルを簡単に識別できるようにし、ユーザの誤操作を防止できるようにすることを目的とする。
【０００６】
【課題を解決するための手段】
本発明に係る電子機器の一つは、コントローラに表示されたコントロールパネルが操作されることによって制御される電子機器であって、前記コントロールパネルを格納するメモリと、前記コントロールパネルのデザインを変更する変更手段と、前記コントロールパネルに表示されるアイコンと同じアイコンを表示する表示手段とを有することを特徴とする。
本発明に係る電子機器の一つは、コントローラに表示されたコントロールパネルが操作されることによって制御される電子機器であって、前記コントロールパネルを格納するメモリと、前記コントロールパネルのデザインを変更する変更手段と、前記コントローラに表示された前記コントロールパネルが選択された場合に前記コントローラから出力されるサウンドと同じサウンドを出力するサウンド出力手段とを有することを特徴とする。
【０００７】
【発明の実施の形態】
以下、図面を参照し、本発明に好適な実施の形態について説明する。
【０００８】
まず、図１を参照し、本実施の形態におけるリモートコントロールシステムについて説明する。
【０００９】
図１において、１００は、コントローラ（制御装置）として機能する表示装置である。１２０は、ターゲット（被制御装置）として機能するディジタルビデオレコーダ（ＶＣＲ）である。１４０もターゲット１２０と同様に、ターゲット（被制御装置）として機能する電子機器（例えば、ディジタルビデオレコーダ（ＶＣＲ））である。ターゲット１４０のメーカ、機種及びバージョンは、ターゲット１２０のメーカ、機種及びバージョンと同じである。
【００１０】
ターゲット１２０は、ターゲット１２０が備える様々な機能をリモートコントロールするためのグラフィカルユーザインターフェースであるコントロールパネルを備える。ターゲット１４０もターゲット１２０と同様に、ターゲット１４０が備える様々な機能をリモートコントロールするためのグラフィカルユーザインターフェースであるコントロールパネルを備える。ターゲット１２０のメーカ、機種及びバージョンは、ターゲット１４０のメーカ、機種及びバージョンと同じであるので、ターゲット１２０が備えるコントロールパネルのデフォルトのデザインは、ターゲット１４０が備えるコントロールパネルのデフォルトのデザインと同じである。
【００１１】
ターゲット１２０及びターゲット１４０が備えるコントロールパネルのデフォルトのデザインを図２に示す。
【００１２】
図２において、２０１は、ディジタルビデオレコーダの記録の機能に関連付けられたボタン要素である。２０２は、ディジタルビデオレコーダの停止の機能に関連付けられたボタン要素である。２０３は、ディジタルビデオレコーダの早送りの機能に関連付けられたボタン要素である。２０４は、ディジタルビデオレコーダの再生の機能に関連付けられたボタン要素である。２０５は、ディジタルビデオレコーダの巻戻しの機能に関連付けられたボタン要素である。２０６は、ユーザによって選択された文字列を表示するテキスト要素である。２０７は、ユーザによって選択されたアイコンを表示するアイコン要素である。
【００１３】
ユーザは、ターゲット１２０のコントロールパネルを操作することによってターゲット１２０をリモートコントロールすることができ、ターゲット１４０のコントロールパネルを操作することによってターゲット１４０をリモートコントロールすることができる。
【００１４】
次に、図１を参照し、コントローラ１００の主要な構成について説明する。
【００１５】
図１において、１０１は、ＩＥＥＥ１３９４−１９９５規格及びＩＥＥＥ１３９４ａ−２０００規格に準拠したディジタルインターフェース（以下、ＩＥＥＥ１３９４インターフェース）である。ＩＥＥＥ１３９４インターフェース１０１は、ターゲット１２０及びターゲット１４０から送信されたコントロールパネルを受信する。１０２は、制御部である。１０３は、ターゲット１２０のコントロールパネル及びターゲット１４０のコントロールパネルを格納するメモリである。１０４は、スピーカである。１０５は、ターゲット１２０及びターゲット１４０のコントロールパネルを各画面の画像データに合成する画像合成部である。１０６は、ＣＲＴ、液晶パネル、プラズマディスプレイパネルなどの表示器である。１０７は、表示器１０６に表示されたターゲット１２０のコントロールパネル及びターゲット１４０のコントロールパネルをリモートコントロール（遠隔操作）するリモートコントローラ（以下、リモコン）である。１０８は、リモコン１０７から赤外線通信方式あるいは無線通信方式に従って送信された制御信号を受信するリモコンインターフェースである。
【００１６】
次に、図１を参照し、ターゲット１２０及びターゲット１４０の主要な構成について説明する。尚、ターゲット１２０のメーカ、機種及びバージョンはターゲット１４０のメーカ、機種及びバージョンと同じであるので、ターゲット１２０の主要な構成はターゲット１４０の主要な構成と同じである。
【００１７】
図１において、１２１は、ＩＥＥＥ１３９４−１９９５規格及びＩＥＥＥ１３９４ａ−２０００規格に準拠したディジタルインターフェース（以下、ＩＥＥＥ１３９４インターフェース）である。ＩＥＥＥ１３９４インターフェース１２１は、コントローラ１００にコントロールパネルを送信する。１２２は、制御部である。１２３は、ターゲット１２０またはターゲット１４０のコントロールパネルを格納するメモリである。１２４は、コントロールパネルの背景の色と同じ色の光を発光する発光部である。１２５は、コントロールパネルのテキスト要素２０６に表示された文字列と同じ文字列と、コントロールパネルのアイコン要素２０７に表示されたアイコンと同じアイコンとを表示する表示器である。１２６は、コントロールパネルがフォーカスされたときにコントローラ１００から出力されるサウンドと同じサウンドを出力するスピーカである。１２７は、ユーザの指示に従ってコントロールパネルのデザインを変更するデザイン変更部である。
【００１８】
コントロールパネルの背景の色を変更する場合、ユーザは、デザイン変更部１２７を操作し、複数の色（例えば、赤、緑、青、黄色、水色、ピンク、紫、オレンジ）のなかから所望の色を選択する。制御部１２２は、コントロールパネルの背景の色をユーザによって選択された色に変更する。ターゲット１４０のコントロールパネルの背景の色をターゲット１２０のコントロールパネルの背景の色と異なるようにすれば、ターゲット１４０のコントロールパネルとターゲット１２０のコントロールパネルを簡単に識別することができ、誤操作を防止することができる。
【００１９】
また、コントロールパネルのテキスト要素２０６に表示される文字列を変更する場合、ユーザは、デザイン変更部１２７を操作し、複数の文字列（例えば、「私のＶＣＲ」、「パパのＶＣＲ」、「ママのＶＣＲ」など）のなかから所望の文字列を選択する。制御部１２２は、コントロールパネルのテキスト要素２０６に表示される文字列をユーザによって選択された文字列に変更する。ターゲット１４０のコントロールパネルに表示される文字列をターゲット１２０のコントロールパネルに表示される文字列と異なるようにすれば、ターゲット１４０のコントロールパネルとターゲット１２０のコントロールパネルを簡単に識別することができ、誤操作を防止することができる。
【００２０】
また、コントロールパネルのアイコン要素２０７に表示されるアイコンを変更する場合、ユーザは、デザイン変更部１２７を操作し、複数のアイコンのなかから所望のアイコンを選択する。制御部１２２は、コントロールパネルのアイコン要素２０７に表示されるアイコンをユーザによって選択されたアイコンに変更する。ターゲット１４０のコントロールパネルに表示されるアイコンをターゲット１２０のコントロールパネルに表示されるアイコンと異なるようにすれば、ターゲット１４０のコントロールパネルとターゲット１２０のコントロールパネルを簡単に識別することができ、誤操作を防止することができる。
【００２１】
また、コントロールパネルがフォーカスされたときにスピーカ１０４から出力されるサウンドを変更する場合、ユーザは、デザイン変更部１２７を操作し、複数のサウンドのなかから所望のサウンドを選択する。制御部１２２は、コントロールパネルのサウンドをユーザによって選択されたサウンドに変更する。ターゲット１４０のコントロールパネルのサウンドをターゲット１２０のコントロールパネルのサウンドと異なるようにすれば、ターゲット１４０のコントロールパネルとターゲット１２０のコントロールパネルを簡単に識別することができ、誤操作を防止することができる。
【００２２】
次に、図３を参照し、コントロールパネルとターゲットの対応関係を簡単に識別する方法について説明する。
【００２３】
図３において、３０１は、ターゲット１２０が備えるコントロールパネルである。３０２は、ターゲット１４０が備えるコントロールパネルである。図３に示すように、コントロールパネル３０１の背景の色は、コントロールパネル３０２の背景の色と異なるように設定されている。また、コントロールパネル３０１のテキスト要素２０６に表示された文字列も、コントロールパネル３０２のテキスト要素２０６に表示された文字列と異なるように設定されている。また、コントロールパネル３０１のアイコン要素２０７に表示されたアイコンも、コントロールパネル３０２のアイコン要素２０７に表示されたアイコンと異なるように設定されている。また、コントロールパネル３０１のサウンド（即ち、「サウンド１」）も、コントロールパネル３０２のサウンド（即ち、「サウンド２」）と異なるように設定されている。
【００２４】
ターゲット１２０のコントロールパネル３０１がフォーカスされた場合（つまり、リモコン１０７によってコントロールパネル３０１が選択された場合）、発光部１２４は、コントロールパネルの背景の色と同じ色の光を発光する。またこの場合、表示器１２５は、コントロールパネルのテキスト要素２０６に表示された文字列と同じ文字列を表示するとともに、コントロールパネルのアイコン要素２０７に表示されたアイコンと同じアイコンを表示する。またこの場合、スピーカ１２６は、コントローラ１００のスピーカ１０４から出力されるサウンドと同じサウンドを出力する。これにより、ユーザは、コントロールパネル３０１とターゲット１２０の対応関係を簡単に認識することができる。
【００２５】
また、ターゲット１４０のコントロールパネル３０２がフォーカスされた場合（つまり、リモコン１０７によってコントロールパネル３０２が選択された場合）、発光部１２４は、コントロールパネルの背景の色と同じ色の光を発光する。
またこの場合、表示器１２５は、コントロールパネルのテキスト要素２０６に表示された文字列と同じ文字列を表示するとともに、コントロールパネルのアイコン要素２０７に表示されたアイコンと同じアイコンを表示する。またこの場合、スピーカ１２６は、コントローラ１００のスピーカ１０４から出力されるサウンドと同じサウンドを出力する。これにより、ユーザは、コントロールパネル３０２とターゲット１４０の対応関係を簡単に認識することができる。
【００２６】
このように、本実施の形態によれば、コントロールパネルの背景の色を変更することができるので、複数のターゲットが備えるコントロールパネルを簡単に識別できるようになり、誤操作を防止することができる。
【００２７】
また、本実施の形態によれば、コントロールパネルに表示される文字列を変更することができるので、複数のターゲットが備えるコントロールパネルを簡単に識別できるようになり、誤操作を防止することができる。
【００２８】
また、本実施の形態によれば、コントロールパネルに表示されるアイコンを変更することができるので、複数のターゲットが備えるコントロールパネルを簡単に識別できるようになり、誤操作を防止することができる。
【００２９】
また、本実施の形態によれば、コントロールパネルがフォーカスされたときにコントローラのスピーカから出力されるサウンドを変更することができるので、複数のターゲットが備えるコントロールパネルを簡単に識別できるようになり、誤操作を防止することができる。
【００３０】
また、本実施の形態によれば、所望のターゲットのコントロールパネルを迷うことなく選択することができるようになるので、操作性を向上させることもできる。
【００３１】
また、本実施の形態によれば、コントロールパネルとターゲットとの対応関係を簡単に認識することができる。
【００３２】
さらに、本発明の実施形態で例示したシステムに限定されることなく、種々の電子機器に本発明を適用できる。
【００３３】
【発明の効果】
本発明によれば、複数のターゲット（被制御装置）のコントロールパネルを簡単に識別することができ、ユーザの誤操作を防止することができる。
【図面の簡単な説明】
【図１】本実施の形態におけるリモートコントロールシステムの構成の一例を説明するブロック図である。
【図２】ターゲット１２０及びターゲット１４０が備えるコントロールパネルのデフォルトのデザインを説明する図である。
【図３】コントロールパネルとターゲットの対応関係を簡単に識別する方法について説明する図である。
【符号の説明】
１００  表示装置
１０１  ＩＥＥＥ１３９４インターフェース
１０２  制御部
１０３  メモリ
１０４  スピーカ
１０５  画像合成部
１０６  表示器
１０７  リモコン
１０８  リモコンインターフェース
１２０，１４０  ディジタルビデオレコーダ（ターゲット）
１２１  ＩＥＥＥ１３９４インターフェース
１２２  制御部
１２３  メモリ
１２４  発光部
１２５  表示器
１２６  スピーカ
１２７  デザイン変更部
【図１】
0004748757.tif 000002
【図２】
0004748757.tif 000003
【図３】
0004748757.tif 000004